(57)【要約】【課題】レンズを保持する可動体と可動体を保持する固定体を備える光学装置を小型化した場合であっても、可動体を適切に移動させることが可能となる光学装置の製造方法を提供する。【解決手段】レンズを保持する可動体と、可動体を保持する固定体と、可動体を移動させる駆動用コイルおよび駆動用磁石１８と、枠状の金属部材２４を備える光学装置では、板状の駆動用磁石１８は、その厚み方向とレンズの径方向とが略一致するように可動体に固定され、駆動用コイルは、レンズの径方向における駆動用磁石１８の外側面１８ａ、１８ｂに所定の隙間を介して対向するように固定体に固定されている。この光学装置の製造時には、外側面１８ａ、１８ｂよりも金属部材２４の外周端が内周側に配置されるように駆動用磁石１８および金属部材２４を配置し、金属部材２４に形成される複数の凹部２４ｃにレーザ光を照射して、駆動用磁石１８の端面に金属部材２４を溶接固定する。【選択図】図４
2015014699.tif 000002
【特許請求の範囲】
【請求項１】
撮影用のレンズを保持する可動体と、前記可動体を移動可能に保持する固定体と、前記固定体に対して前記可動体を相対移動させるための駆動用コイルおよび駆動用磁石と、前記駆動用磁石に固定される枠状の金属部材とを備え、
前記駆動用磁石は、板状に形成されるとともに、その厚み方向と前記レンズの径方向とが略一致するように前記可動体および前記固定体のいずれか一方に固定され、
前記駆動用コイルは、前記可動体および前記固定体のいずれか他方に固定されるとともに、所定の隙間を介して前記径方向における前記駆動用磁石の外側面に対向配置され、
前記金属部材は、前記径方向における前記駆動用磁石の外側面よりも前記金属部材の外周端が内周側に配置されるように、前記レンズの光軸方向における前記駆動用磁石の端面に固定されている光学装置の製造方法であって、
前記金属部材に形成される複数の凹部にレーザ光を照射して、前記駆動用磁石に前記金属部材を溶接固定する溶接固定工程を備えることを特徴とする光学装置の製造方法。
【請求項２】
前記凹部は、前記金属部材の外周端から内周側に向かって窪むように形成され、
前記溶接固定工程では、前記凹部の、前記光軸方向における前記駆動用磁石の端面と前記金属部材との接触部分に向かってレーザ光を照射することを特徴とする請求項１記載の光学装置の製造方法。
【請求項３】
前記凹部は、前記光軸方向における前記金属部材の一方の面から前記駆動用磁石に向かって窪むように形成され、
前記溶接固定工程では、前記光軸方向の一方から前記凹部に向かってレーザ光を照射することを特徴とする請求項１記載の光学装置の製造方法。
【請求項４】
前記駆動用磁石の表面および前記金属部材の表面には、ニッケルメッキ層が形成され、
前記溶接固定工程では、前記ニッケルメッキ層を溶融するとともに固化させることを特徴とする請求項２記載の光学装置の製造方法。
【請求項５】
請求項１から４のいずれかに記載の光学装置の製造方法によって製造される光学装置であって、
前記光軸方向における前記駆動用磁石の端面の、前記径方向の外側端には、Ｒ加工面が形成され、
前記光軸方向から見たときに、前記金属部材の外周端と前記Ｒ加工面とが重なっていることを特徴とする光学装置。
【請求項６】
請求項１から４のいずれかに記載の光学装置の製造方法によって製造される光学装置であって、
前記径方向のうちの一方向を第１方向とし、前記光軸方向と前記第１方向とに直交する方向を第２方向とすると、
前記駆動用磁石として、略長方形または略正方形の平板状に形成される２個の第１駆動用磁石および２個の第２駆動用磁石を備え、
前記第１駆動用磁石は、その厚さ方向と前記第１方向とが略一致するように配置され、
前記第２駆動用磁石は、その厚さ方向と前記第２方向とが略一致するように配置され、
前記金属部材は、前記第２方向に略平行な２個の第１辺部と前記第１方向に略平行な２個の第２辺部とから構成される略四角枠状に形成され、
前記第１辺部は、前記第１方向における前記金属部材の外側端が前記第１方向における前記第１駆動用磁石の外側面よりも前記第１方向の内側に配置されるように前記第１駆動用磁石に固定され、
前記第２辺部は、前記第２方向における前記金属部材の外側端が前記第２方向における前記第２駆動用磁石の外側面よりも前記第２方向の内側に配置されるように前記第２駆動用磁石に固定されていることを特徴とする光学装置。
【請求項７】
前記固定体に対する前記可動体の揺動の支点となる支点部と、前記第１駆動用磁石および前記第２駆動用磁石の前記光軸方向の端面に固定される第２金属部材とを備え、
前記第１駆動用磁石は、前記第１方向における一方の側面の磁極と他方の側面の磁極とが異なるように着磁され、
前記第２駆動用磁石は、前記第２方向における一方の側面の磁極と他方の側面の磁極とが異なるように着磁され、
前記第１駆動用磁石および前記第２駆動用磁石は、前記可動体に固定され、
前記駆動用コイルは、前記固定体に固定され、
前記金属部材は、前記光軸方向における前記第１駆動用磁石および前記第２駆動用磁石の被写体側の端面に固定され、
前記第２金属部材は、前記光軸方向における前記第１駆動用磁石および前記第２駆動用磁石の反被写体側の端面にレーザ溶接によって固定され、
前記支点部は、前記可動体よりも反被写体側に配置され、
前記第２金属部材は、略四角枠状に形成され、
前記第２金属部材の前記第１方向における外周端は、前記第１方向における前記第１駆動用磁石の外側面よりも前記第１方向の外側に配置され、
前記第２金属部材の前記第２方向における外周端は、前記第２方向における前記第２駆動用磁石の外側面よりも前記第２方向の外側に配置され、
前記可動体は、前記支点部を揺動の支点として前記レンズの光軸が傾くように前記固定体に揺動可能に保持され、
前記駆動用コイル、前記第１駆動用磁石および前記第２駆動用コイルは、前記固定体に対して前記可動体を揺動させることを特徴とする請求項６記載の光学装置。
【発明の詳細な説明】
【技術分野】
【０００１】
本発明は、撮影用のレンズを保持する可動体と、この可動体を移動可能に保持する固定体とを備える光学装置の製造方法に関する。また、本発明は、かかる光学装置の製造方法で製造された光学装置に関する。
【背景技術】
【０００２】
従来、オートフォーカス機能と振れ補正機能とを備える光学装置が知られている（たとえば、特許文献１参照）。特許文献１に記載の光学装置は、レンズおよび撮像素子を保持するカメラモジュールと、レンズの光軸が傾くようにカメラモジュールを揺動可能に保持する固定体と、光学像の振れを補正するために固定体に対してカメラモジュールを揺動させる揺動駆動機構とを備えている。カメラモジュールは、光軸方向から見たときの形状が略正方形状となる略四角柱状に形成されている。固定体は、光学装置の外周面を構成する略四角筒状のケース体を備えている。揺動駆動機構は、４個の駆動用コイルと、４個の駆動用コイルのそれぞれに対向配置される略長方形状の４個の駆動用磁石とを備えている。
【０００３】
特許文献１に記載の光学装置では、４個の駆動用コイルのそれぞれは、ケース体の４つの側面部分のそれぞれの内側に固定されている。４個の駆動用磁石のそれぞれは、カメラモジュールの４つの側面部分のそれぞれの外側に固定されている。光軸方向における駆動用磁石の両端面には、略正方形の枠状に形成される磁石連結部材が固定されており、４個の駆動用磁石は、磁石連結部材によって連結されている。駆動用磁石の表面の全体および磁石連結部材の表面の全体には、ニッケルメッキ層が形成されている。また、駆動用磁石と磁石連結部材とは、スズ系金属からなる接合層によって接合されている。磁石連結部材に接合される前の駆動用磁石では、ニッケルメッキ層を覆うように駆動用磁石の表面の全体にスズメッキ層が形成されており、このスズメッキ層を溶融し、固化させることで、駆動用磁石と磁石連結部材とを接合する接合層が形成されている。
【先行技術文献】
【特許文献】
【０００４】
【特許文献１】特開２０１２−１１８２１３号公報
【発明の概要】
【発明が解決しようとする課題】
【０００５】
特許文献１に記載の光学装置では、磁石連結部材と接合される前の駆動用磁石の表面のスズメッキ層を溶融し、固化させることで形成された接合層によって、駆動用磁石と磁石連結部材とが接合されているため、駆動用磁石と磁石連結部材との間から接合層がはみ出すのを防止することが可能になる。したがって、この光学装置では、装置を小型化して、駆動用磁石と駆動用コイルとの隙間を狭くした場合であっても、接合層と駆動用コイルとの隙間を精度良く形成することが可能になり、その結果、接合層と駆動用コイルとの干渉を防止することが可能になる。
【０００６】
しかしながら、特許文献１に記載の光学装置では、接合層を形成する際に、駆動用磁石の表面の全体に形成されたスズメッキ層を溶融し、固化させているため、駆動用磁石の駆動用コイルとの対向面で、溶融したスズが粒状に固化して、駆動用磁石の駆動用コイルとの対向面に、スズ粒が形成されるおそれがある。駆動用磁石の駆動用コイルとの対向面にスズ粒が形成されると、カメラモジュールが揺動する際に、このスズ粒と駆動用コイルとが干渉して、カメラモジュールの揺動動作に支障を来すおそれがある。
【０００７】
そこで、本発明の課題は、撮影用のレンズを保持する可動体と、この可動体を移動可能に保持する固定体とを備える光学装置を小型化した場合であっても、可動体を適切に移動させることが可能となる光学装置の製造方法を提供することにある。また、本発明の課題は、かかる光学装置の製造方法で製造された光学装置を提供することにある。
【課題を解決するための手段】
【０００８】
上記の課題を解決するため、本発明の光学装置の製造方法は、撮影用のレンズを保持する可動体と、可動体を移動可能に保持する固定体と、固定体に対して可動体を相対移動させるための駆動用コイルおよび駆動用磁石と、駆動用磁石に固定される枠状の金属部材とを備え、駆動用磁石は、板状に形成されるとともに、その厚み方向とレンズの径方向とが略一致するように可動体および固定体のいずれか一方に固定され、駆動用コイルは、可動体および固定体のいずれか他方に固定されるとともに、所定の隙間を介してレンズの径方向における駆動用磁石の外側面に対向配置され、金属部材は、レンズの径方向における駆動用磁石の外側面よりも金属部材の外周端が内周側に配置されるように、レンズの光軸方向における駆動用磁石の端面に固定されている光学装置の製造方法であって、金属部材に形成される複数の凹部にレーザ光を照射して、駆動用磁石に金属部材を溶接固定する溶接固定工程を備えることを特徴とする。
【０００９】
本発明の光学装置の製造方法では、溶接固定工程において、金属部材に形成される複数の凹部にレーザ光を照射して、駆動用磁石に金属部材を固定している。そのため、本発明では、レーザ光の照射によって形成されるレーザ溶接跡を、凹部が形成されていた部分に収めることが可能になる。したがって、本発明では、レンズの径方向における駆動用磁石の外側面に対向配置される駆動用コイルに向かってレーザ溶接跡が突出するのを防止することが可能になる。特に本発明では、レンズの径方向における駆動用磁石の外側面よりも金属部材の外周端が内周側に配置されるように金属部材が駆動用磁石に固定されるため、レンズの径方向における駆動用磁石の外側面に対向配置される駆動用コイルに向かってレーザ溶接跡が突出するのを効果的に防止することが可能になるとともに、金属部材の外周端が駆動用コイルに向かって突出するのを防止することが可能になる。
【００１０】
したがって、本発明では、駆動用磁石と駆動用コイルとの隙間を狭くした場合であっても、可動体側と固定体側との干渉を防止することが可能になる。すなわち、本発明では、駆動用磁石と駆動用コイルとの隙間を狭くすることで、装置を小型化した場合であっても、可動体側と固定体側との干渉を防止して、可動体を適切に移動させることが可能になる。また、本発明では、駆動用磁石に金属部材を溶接固定しているため、駆動用磁石と金属部材との固定強度を高めることが可能になる。また、本発明では、凹部を目印にしてレーザ光を照射すれば良いため、レーザ光の照射が容易になる。
【００１１】
本発明において、凹部は、金属部材の外周端から内周側に向かって窪むように形成され、溶接固定工程では、凹部の、光軸方向における駆動用磁石の端面と金属部材との接触部分に向かってレーザ光を照射することが好ましい。このように構成すると、金属部材に凹部が形成されていない場合と比較して、レーザ光が照射される駆動用磁石の端面と金属部材との接触部分の長さを長くすることが可能になる。したがって、駆動用磁石と金属部材との固定強度を効果的に高めることが可能になる。
【００１２】
本発明において、駆動用磁石の表面および金属部材の表面には、ニッケルメッキ層が形成され、溶接固定工程では、ニッケルメッキ層を溶融するとともに固化させることが好ましい。このように構成すると、ニッケルメッキ層を利用して、駆動用磁石と金属部材との固定強度を高めることが可能になる。
【００１３】
本発明において、凹部は、光軸方向における金属部材の一方の面から駆動用磁石に向かって窪むように形成され、溶接固定工程では、光軸方向の一方から凹部に向かってレーザ光を照射しても良い。この場合には、金属部材の凹部が形成される部分の厚みが薄くなるため、光軸方向の一方から照射されるレーザ光の強度を下げても、金属部材を溶かして金属部材と駆動用磁石とを溶接固定することが可能になる。したがって、駆動用磁石に対するレーザ光の影響を低減することが可能になる。
【００１４】
本発明の光学装置の製造方法によって製造される光学装置では、光軸方向における駆動用磁石の端面の、レンズの径方向の外側端に、Ｒ加工面が形成され、光軸方向から見たときに、金属部材の外周端とＲ加工面とが重なっていることが好ましい。このように構成すると、金属部材の外周側部分とＲ加工面との間に形成される隙間にレーザ溶接跡を収めることが可能になり、駆動用コイルに向かってレーザ溶接跡が突出するのを効果的に防止することが可能になる。また、このように構成すると、金属部材の外周側部分とＲ加工面との間に形成される隙間をレーザ溶接跡で埋めることが可能になり、その結果、駆動用磁石と金属部材との固定強度を効果的に高めることが可能になる。
【００１５】
本発明の光学装置の製造方法によって製造される光学装置では、レンズの径方向のうちの一方向を第１方向とし、光軸方向と第１方向とに直交する方向を第２方向とすると、たとえば、光学装置は、駆動用磁石として、略長方形または略正方形の平板状に形成される２個の第１駆動用磁石および２個の第２駆動用磁石を備え、第１駆動用磁石は、その厚さ方向と第１方向とが略一致するように配置され、第２駆動用磁石は、その厚さ方向と第２方向とが略一致するように配置され、金属部材は、第２方向に略平行な２個の第１辺部と第１方向に略平行な２個の第２辺部とから構成される略四角枠状に形成され、第１辺部は、第１方向における金属部材の外側端が第１方向における第１駆動用磁石の外側面よりも第１方向の内側に配置されるように第１駆動用磁石に固定され、第２辺部は、第２方向における金属部材の外側端が第２方向における第２駆動用磁石の外側面よりも第２方向の内側に配置されるように第２駆動用磁石に固定されている。
【００１６】
本発明において、たとえば、光学装置は、固定体に対する可動体の揺動の支点となる支点部と、第１駆動用磁石および第２駆動用磁石の光軸方向の端面に固定される第２金属部材とを備え、第１駆動用磁石は、第１方向における一方の側面の磁極と他方の側面の磁極とが異なるように着磁され、第２駆動用磁石は、第２方向における一方の側面の磁極と他方の側面の磁極とが異なるように着磁され、第１駆動用磁石および第２駆動用磁石は、可動体に固定され、駆動用コイルは、固定体に固定され、金属部材は、光軸方向における第１駆動用磁石および第２駆動用磁石の被写体側の端面に固定され、第２金属部材は、光軸方向における第１駆動用磁石および第２駆動用磁石の反被写体側の端面にレーザ溶接によって固定され、支点部は、可動体よりも反被写体側に配置され、第２金属部材は、略四角枠状に形成され、第２金属部材の第１方向における外周端は、第１方向における第１駆動用磁石の外側面よりも第１方向の外側に配置され、第２金属部材の第２方向における外周端は、第２方向における第２駆動用磁石の外側面よりも第２方向の外側に配置され、可動体は、支点部を揺動の支点としてレンズの光軸が傾くように固定体に揺動可能に保持され、駆動用コイル、第１駆動用磁石および第２駆動用コイルは、固定体に対して可動体を揺動させる。
【００１７】
この場合には、第１駆動用磁石および第２駆動用磁石の被写体側の端面に固定される金属部材では、金属部材の第１方向における外周端が第１方向における第１駆動用磁石の外側面よりも第１方向の内側に配置され、かつ、金属部材の第２方向における外周端が第２方向における第２駆動用磁石の外側面よりも第２方向の内側に配置されているため、反被写体側に配置される支点部を支点とする可動体の揺動範囲を広げることが可能になる。また、この場合には、第１駆動用磁石および第２駆動用磁石の反被写体側の端面に固定される第２金属部材では、第２金属部材の第１方向における外周端が第１方向における第１駆動用磁石の外側面よりも第１方向の外側に配置され、かつ、第２金属部材の第２方向における外周端が第２方向における第２駆動用磁石の外側面よりも第２方向の外側に配置されているため、第２金属部材を用いて、可動体の揺動範囲を規制することが可能になる。
【発明の効果】
【００１８】
以上のように、本発明の光学装置の製造方法によって光学装置を製造すれば、撮影用のレンズを保持する可動体と、この可動体を移動可能に保持する固定体とを備える光学装置を小型化した場合であっても、可動体を適切に移動させることが可能になる。また、本発明の光学装置の製造方法で製造された光学装置では、装置を小型化した場合であっても、可動体を適切に移動させることが可能になる。
【図面の簡単な説明】
【００１９】
【図１】本発明の実施の形態にかかる光学装置の斜視図である。
【図２】図１のＥ−Ｅ断面の断面図である。
【図３】図２に示す駆動用コイル、駆動用磁石および磁石連結部材等の分解斜視図である。
【図４】図３に示す駆動用磁石に磁石連結部材が固定されている状態の斜視図である。
【図５】（Ａ）は、図４に示す駆動用磁石および磁石連結部材の側面図であり、（Ｂ）は、（Ａ）のＦ部の拡大図である。
【図６】図２に示すケース体、駆動用コイル、駆動用磁石および磁石連結部材等を反被写体側から示す図である。
【図７】本発明の他の実施の形態にかかる磁石連結部材の斜視図である。
【発明を実施するための形態】
【００２０】
以下、図面を参照しながら、本発明の実施の形態を説明する。
【００２１】
（光学装置の構成）
図１は、本発明の実施の形態にかかる光学装置１の斜視図である。図２は、図１のＥ−Ｅ断面の断面図である。図３は、図２に示す駆動用コイル１７、駆動用磁石１８および磁石連結部材２４、２５等の分解斜視図である。図４は、図３に示す駆動用磁石１８に磁石連結部材２４、２５が固定されている状態の斜視図である。図５（Ａ）は、図４に示す駆動用磁石１８および磁石連結部材２４、２５の側面図であり、図５（Ｂ）は、（Ａ）のＦ部の拡大図である。図６は、図２に示すケース体１２、駆動用コイル１７、駆動用磁石１８および磁石連結部材２４等を反被写体側から示す図である。なお、以下の説明では、図１等に示すように、互いに直交する３方向のそれぞれをＸ方向、Ｙ方向およびＺ方向とし、Ｘ方向を左右方向、Ｙ方向を前後方向、Ｚ方向を上下方向とする。また、Ｚ１方向側を「上」側、Ｚ２方向側を「下」側とする。
【００２２】
本形態の光学装置１は、携帯電話等の携帯機器、ドライブレコーダあるいは監視カメラシステム等に搭載される小型かつ薄型のカメラであり、オートフォーカス機能と振れ補正機能とを備えている。この光学装置１は、全体として略四角柱状に形成されている。本形態では、光学装置１は、撮影用のレンズの光軸Ｌの方向（光軸方向）から見たときの形状が略正方形状となるように形成されており、光学装置１の４つの側面は、左右方向または前後方向と略平行になっている。
【００２３】
光学装置１は、図１、図２に示すように、レンズおよび撮像素子を保持する可動体としてのカメラモジュール２と、光軸Ｌが傾くようにカメラモジュール２を揺動可能に保持する固定体３と、カメラモジュール２と固定体３とを繋ぐ板バネ４と、撮像素子上に結像される光学像の振れを補正するために固定体３に対してカメラモジュール２を揺動させる揺動駆動機構５とを備えている。本形態では、上下方向は、カメラモジュール２が揺動していないときのカメラモジュール２の光軸方向とほぼ一致する。また、本形態では、カメラモジュール２の下端に撮像素子が搭載されており、上側に配置される被写体が撮影される。すなわち、本形態では、上側（Ｚ１方向側）は被写体側（物体側）であり、下側（Ｚ２方向側）は反被写体側（撮像素子側、像側）である。また、上下方向に直交する方向は、カメラモジュール２に保持されるレンズの径方向である。
【００２４】
カメラモジュール２は、全体として略四角柱状に形成されている。本形態では、カメラモジュール２は、光軸方向から見たときの形状が略正方形状となるように形成されている。このカメラモジュール２は、レンズを保持するとともに光軸方向へ移動可能な可動体と、可動体を光軸方向へ移動可能に保持する保持体と、保持体に対して可動体を光軸方向へ駆動するためのレンズ駆動機構とを備えている。レンズ駆動機構は、たとえば、可動体に固定される駆動用コイルと保持体に固定される駆動用磁石とによって構成されている。なお、レンズ駆動機構は、圧電素子あるいは形状記憶合金等によって構成されても良い。
【００２５】
カメラモジュール２の下面には、基板７が固定されている。基板７には、撮像素子が実装されている。また、基板７には、たとえば、カメラモジュール２の傾きの変化を検出するためのジャイロスコープが実装されている。基板７には、ＦＰＣ（フレキシブルプリント基板）８が接続されており、ＦＰＣ８は、光学装置１の下端側で引き回されて、光学装置１の側面から引き出されている。また、基板７の下面には、図２に示すように、後述の球状部材１４が当接する当接板９が固定されている。
【００２６】
固定体３は、光学装置１の前後左右の４つの側面（外周面）を構成するケース体１２と、光学装置１の下面側を構成する下ケース体１３とを備えている。ケース体１２は、略四角筒状に形成されており、カメラモジュール２を外周側から囲むように配置されている。下ケース体１３は、底部１３ａと筒部１３ｂとを有する底付きの略四角筒状（略有底四角筒状）に形成されている。
【００２７】
下ケース体１３の底部１３ａは、下側に配置されており、光学装置１の下面を構成している。また、底部１３ａの中心には、球状に形成される球状部材１４の下端側が配置される配置孔１３ｃが形成されている。本形態では、球状部材１４と配置孔１３ｃとによって、固定体３に対するカメラモジュール２の揺動の支点となる支点部１５が構成されている。支点部１５は、カメラモジュール２の下側に配置されており、球状部材１４の上端は、当接板９の下面に当接している。
【００２８】
揺動駆動機構５は、４個の駆動用コイル１７と、４個の駆動用コイル１７のそれぞれに対向配置される４個の駆動用磁石１８とを備えている。
【００２９】
４個の駆動用コイル１７は、図３に示すように、ＦＰＣ１９自体に形成されたパターンコイルである。また、駆動用コイル１７は、略長方形状に巻回されて形成されており、互いに略平行な２個の長辺部を備えている。ＦＰＣ１９は、４個の駆動用コイル１７のそれぞれが、ケース体１２の内周面を構成する４つの内側面のそれぞれに配置されるように、ケース体１２の内周面に沿って配置されている。ＦＰＣ１９は、中継用のＦＰＣ２０を介して、ＦＰＣ８に接続されている。なお、駆動用コイル１７は、空芯状に巻回された空芯コイルであっても良い。この場合には、ケース体１２の４つの内側面のそれぞれに駆動用コイル１７が固定されても良いし、ＦＰＣ１９に４個の駆動用コイル１７が実装されても良い。
【００３０】
駆動用磁石１８は、ネオジム、鉄およびボロンを主成分とするネオジム磁石である。この駆動用磁石１８は、略長方形の平板状に形成されている。また、駆動用磁石１８は、略長方形の平板状に形成された磁石片２２と磁石片２３との２個の磁石片によって構成されている。具体的には、磁石片２２の下面と磁石片２３の上面とが当接した状態で、磁石片２２と磁石片２３とが互いに接着固定されることで駆動用磁石１８が形成されている。略長方形の平板状に形成される駆動用磁石１８の各エッジ部分には、図３に示すように、Ｒ加工が施されており、駆動用磁石１８の各エッジ部分には、Ｒ加工面が形成されている。また、駆動用磁石１８の表面には、ニッケルを主とするニッケル合金、または、ニッケルからなるニッケルメッキ層が形成されている。なお、駆動用磁石１８は、略正方形の平板状に形成されても良い。
【００３１】
４個の駆動用磁石１８の上端面には、枠状に形成される磁石連結部材２４が固定され、４個の駆動用磁石１８の下端面には、枠状に形成される磁石連結部材２５が固定されている。磁石連結部材２４、２５は、ステンレス鋼板等の薄鋼板によって形成されている。また、磁石連結部材２４、２５は、プレスの抜き加工によって形成されている。磁石連結部材２４、２５の表面には、ニッケルを主とするニッケル合金、または、ニッケルからなるニッケルメッキ層が形成されている。本形態の磁石連結部材２４は、金属部材であり、磁石連結部材２５は、第２金属部材である。
【００３２】
磁石連結部材２４は、略正方形の枠状に形成されており、前後方向に略平行な直線状に形成される２個の第１辺部２４ａと、左右方向に略平行な直線状に形成される２個の第２辺部２４ｂとから構成されている。磁石連結部材２５も磁石連結部材２４と同様に、略正方形の枠状に形成されており、前後方向に略平行な直線状に形成される２個の第１辺部２５ａと、左右方向に略平行な直線状に形成される２個の第２辺部２５ｂとから構成されている。
【００３３】
図４に示すように、４個の駆動用磁石１８のうちの２個の駆動用磁石１８は、その厚さ方向と左右方向とが略一致するように配置されており、この２個の駆動用磁石１８のそれぞれには、２個の第１辺部２４ａ、２５ａのそれぞれが固定されている。また、残りの２個の駆動用磁石１８は、その厚さ方向と前後方向とが略一致するように配置されており、この２個の駆動用磁石１８のそれぞれには、２個の第２辺部２４ｂ、２５ｂのそれぞれが固定されている。第１辺部２４ａ、２５ａおよび第２辺部２４ｂ、２５ｂの長さは、駆動用磁石１８の厚さ方向に直交する前後方向または左右方向における駆動用磁石１８の幅よりも長くなっている。
【００３４】
なお、本形態では、その厚さ方向と左右方向とが略一致するように第１辺部２４ａ、２５ａに固定される駆動用磁石１８は、第１駆動用磁石であり、その厚さ方向と前後方向とが略一致するように第２辺部２４ｂ、２５ｂに固定される駆動用磁石１８は、第２駆動用磁石である。以下の説明では、第１駆動用磁石と第２駆動用磁石とを区別して表わす場合には、第１駆動用磁石を「第１駆動用磁石１８Ａ」とし、第２駆動用磁石を「第２駆動用磁石１８Ｂ」とする。また、本形態の左右方向は、レンズの径方向のうちの一方向である第１方向であり、前後方向は、光軸方向とほぼ一致する上下方向と第１方向である左右方向とに直交する第２方向である。
【００３５】
図６に示すように、磁石連結部材２４は、磁石連結部材２４の左右方向の外周端が左右方向における第１駆動用磁石１８Ａの外側面１８ａよりも左右方向の内側（すなわち、内周側）に配置され、かつ、磁石連結部材２４の前後方向の外周端が前後方向における第２駆動用磁石１８Ｂの外側面１８ｂよりも前後方向の内側（すなわち、内周側）に配置されるように、４個の駆動用磁石１８の上端面に固定されている。
【００３６】
上述のように、駆動用磁石１８の各エッジ部分には、Ｒ加工面が形成されているため、図５（Ｂ）に示すように、第１駆動用磁石１８Ａの上端面の左右方向の外側端に形成されるＲ加工面（すなわち、外側面１８ａ側のＲ加工面）１８ｅは、上下方向において、磁石連結部材２４の左右方向の外周端と重なっている。すなわち、上下方向から見たときに、Ｒ加工面１８ｅと磁石連結部材２４の左右方向の外周端とが重なっている。同様に、第２駆動用磁石１８Ｂの上端面の前後方向の外側端に形成されるＲ加工面（すなわち、外側面１８ｂ側のＲ加工面）は、上下方向において、磁石連結部材２４の前後方向の外周端と重なっている。すなわち、上下方向から見たときに、第２駆動用磁石１８Ｂの上端面の外側面１８ｂ側のＲ加工面と磁石連結部材２４の前後方向の外周端とが重なっている。
【００３７】
また、磁石連結部材２４は、磁石連結部材２４の左右方向の内周端が左右方向における第１駆動用磁石１８Ａの内側面１８ｃよりも左右方向の内側（すなわち、内周側）に配置され、かつ、磁石連結部材２４の前後方向の内周端が前後方向における第２駆動用磁石１８Ｂの内側面１８ｄよりも前後方向の内側（すなわち、内周側）に配置されるように、４個の駆動用磁石１８の上端面に固定されている。本形態では、磁石連結部材２４は、レーザ溶接によって４個の駆動用磁石１８の上端面に固定されている。
【００３８】
磁石連結部材２５は、磁石連結部材２５の左右方向の外周端が第１駆動用磁石１８Ａの外側面１８ａよりも左右方向の外側（すなわち、外周側）に配置され、かつ、磁石連結部材２５の前後方向の外周端が第２駆動用磁石１８Ｂの外側面１８ｂよりも前後方向の外側（すなわち、外周側）に配置されるように、４個の駆動用磁石１８の下端面に固定されている（図４参照）。また、磁石連結部材２５は、磁石連結部材２５の左右方向の内周端が左右方向における第１駆動用磁石１８Ａの内側面１８ｃよりも左右方向の内側（すなわち、内周側）に配置され、かつ、磁石連結部材２５の前後方向の内周端が前後方向における第２駆動用磁石１８Ｂの内側面１８ｄよりも前後方向の内側（すなわち、内周側）に配置されるように、４個の駆動用磁石１８の下端面に固定されている。磁石連結部材２４と同様に、磁石連結部材２５も、レーザ溶接によって４個の駆動用磁石１８の下端面に固定されている。
【００３９】
磁石連結部材２４、２５の内周端は、カメラモジュール２の外周面を構成する４つの外側面に固定されている。すなわち、４個の駆動用磁石１８は、磁石連結部材２４、２５を介してカメラモジュール２の外周面に固定されている。４個の駆動用磁石１８は、カメラモジュール２の４つの外側面のそれぞれに沿って配置されており、ケース体１２の内周面に沿って配置されている駆動用コイル１７よりも内周側に配置されている。図２に示すように、駆動用磁石１８とカメラモジュール２の外側面との間には隙間が形成されている。なお、本形態では、４個の駆動用磁石１８に磁石連結部材２４、２５が溶接固定されて、４個の駆動用磁石１８が磁石連結部材２４、２５によって繋がれた後に、カメラモジュール２の外側面に磁石連結部材２４、２５が固定される。
【００４０】
駆動用磁石１８に溶接固定される前の磁石連結部材２４には、図３等に示すように、複数の凹部２４ｃが形成されている。凹部２４ｃは、磁石連結部材２４の外周端から内周側に向かって窪むように形成されている。この凹部２４ｃは、上下方向における磁石連結部材２４の全域に形成されている。また、凹部２４ｃは、たとえば、上下方向から見たときの形状が略三角形状となるように形成されている。本形態では、第１辺部２４ａおよび第２辺部２４ｂのそれぞれに５個の凹部２４ｃが形成されている。５個の凹部２４ｃは、第１辺部２４ａおよび第２辺部２４ｂの、駆動用磁石１８に固定される範囲において一定のピッチで形成されている。駆動用磁石１８に磁石連結部材２４が溶接固定されると、凹部２４ｃの少なくとも一部は、レーザ光の照射によって形成されるレーザ溶接跡によって埋まる。なお、凹部２４ｃは、上下方向から見たときの形状が略三角形状以外の略多角形状となるように形成されても良いし、上下方向から見たときの形状が略半円形状となるように形成されても良い。
【００４１】
磁石片２２は、一方の側面に形成される磁極と他方の側面に形成される磁極とが異なるように着磁されている。すなわち、カメラモジュール２に固定される前後左右の内側面に形成される磁極と、駆動用コイル１７に対向する前後左右の外側面に形成される磁極とが異なる磁極となるように、磁石片２２は着磁されている。同様に、磁石片２３は、カメラモジュール２に固定される前後左右の内側面に形成される磁極と、駆動用コイル１７に対向する前後左右の外側面に形成される磁極とが異なる磁極となるように着磁されている。また、磁石片２２、２３は、磁石片２２の内側面の磁極と磁石片２３の内側面の磁極とが異なる磁極となるように着磁されている。すなわち、磁石片２２、２３は、磁石片２２の外側面の磁極と磁石片２３の外側面の磁極とが異なる磁極となるように着磁されている。
【００４２】
上述のように、駆動用コイル１７は、ケース体１２の内周面に沿って配置されており、図６に示すように、カメラモジュール２の外側面に固定される駆動用磁石１８と、ケース体１２の内周面との隙間に配置されている。すなわち、４個の駆動用コイル１７のうちの２個の駆動用コイル１７は、左右方向において所定の隙間を介して第１駆動用磁石１８Ａの外側面１８ａに対向配置され、残りの２個の駆動用コイル１７は、前後方向において所定の隙間を介して第２駆動用磁石１８Ｂの外側面１８ｂに対向配置されている。
【００４３】
板バネ４は、磁石連結部材２５に固定される可動側固定部と、固定体３に固定される固定側固定部と、可動側固定部と固定側固定部とを繋ぐ複数のバネ部とを備えている。本形態では、固定側固定部に対してバネ部が撓むことで、磁石連結部材２５および駆動用磁石１８等を介して可動側固定部に固定されるカメラモジュール２の揺動動作が可能となっている。また、板バネ４は、球状部材１４の上端と当接板９とを確実に当接させるとともに、球状部材１４の下端側と下ケース体１３の配置孔１３ｃの縁とを確実に当接させるための与圧が発生するように（すなわち、カメラモジュール２を下方向へ付勢する付勢力が発生するように）、撓んだ状態で固定されている。
【００４４】
以上のように構成された光学装置１では、基板７に実装されるジャイロスコープでカメラモジュール２の傾きの変化が検出されると、ジャイロスコープでの検出結果に基づいて、駆動用コイル１７に電流が供給される。駆動用コイル１７に電流が供給されると、支点部１５を揺動の支点として、また、左右方向および／または前後方向を揺動の軸方向として、カメラモジュール２が光軸Ｌを傾けるように揺動して、振れが補正される。
【００４５】
（駆動用磁石と磁石連結部材との固定方法）
光学装置１の製造過程において、磁石連結部材２４、２５は、以下のように、駆動用磁石１８に固定される。すなわち、まず、所定の治具に４個の駆動用磁石１８を配置して整列させる。その後、４個の駆動用磁石１８に、磁石連結部材２４および磁石連結部材２５のいずれか一方をレーザ溶接で固定し、その後、４個の駆動用磁石１８に、磁石連結部材２４および磁石連結部材２５のいずれか他方をレーザ溶接で固定する（溶接固定工程）。この溶接固定工程では、たとえば、４個の駆動用磁石１８の上端面に磁石連結部材２４の下面を当接させて、４個の駆動用磁石１８の上端面に磁石連結部材２４をレーザ溶接で固定し、その後、４個の駆動用磁石１８の下端面に磁石連結部材２５の上面を当接させて、４個の駆動用磁石１８の下端面に磁石連結部材２５をレーザ溶接で固定する。
【００４６】
４個の駆動用磁石１８の上端面に磁石連結部材２４を固定する際には、まず、磁石連結部材２４の左右方向の外周端が第１駆動用磁石１８Ａの外側面１８ａよりも左右方向の内側に配置され、かつ、磁石連結部材２４の前後方向の外周端が第２駆動用磁石１８Ｂの外側面１８ｂよりも前後方向の内側に配置されるとともに、磁石連結部材２４の左右方向の内周端が第１駆動用磁石１８Ａの内側面１８ｃよりも左右方向の内側に配置され、かつ、磁石連結部材２４の前後方向の内周端が第２駆動用磁石１８Ｂの内側面１８ｄよりも前後方向の内側に配置されるように、４個の駆動用磁石１８の上端面に磁石連結部材２４の下面を当接させる。
【００４７】
その後、磁石連結部材２４の外周側かつＺ１方向側から複数の凹部２４ｃにレーザ光を照射する。具体的には、複数の凹部２４ｃの、駆動用磁石１８の上端面と磁石連結部材２４の下面との接触部分に向かってレーザ光を照射する。また、磁石連結部材２４の内周側かつＺ２方向側から駆動用磁石１８の上端面と磁石連結部材２４の下面との接触部分に向かってレーザ光を照射する。このようにレーザ光を照射すると、駆動用磁石１８の上端側の一部と磁石連結部材２４の下面側の一部とが溶融する。また、レーザ光の照射が停止されると、溶融部分が固化して、４個の駆動用磁石１８の上端面に磁石連結部材２４が溶接固定される。なお、上述のように、駆動用磁石１８の表面および磁石連結部材２４の表面には、ニッケルメッキ層が形成されているため、４個の駆動用磁石１８の上端面に磁石連結部材２４が溶接固定される際には、ニッケルメッキ層が溶融するとともに固化する。
【００４８】
また、４個の駆動用磁石１８の下端面に磁石連結部材２５を固定する際には、まず、磁石連結部材２５の左右方向の外周端が第１駆動用磁石１８Ａの外側面１８ａよりも左右方向の外側に配置され、かつ、磁石連結部材２５の前後方向の外周端が第２駆動用磁石１８Ｂの外側面１８ｂよりも前後方向の外側に配置されるとともに、磁石連結部材２５の左右方向の内周端が第１駆動用磁石１８Ａの内側面１８ｃよりも左右方向の内側に配置され、かつ、磁石連結部材２５の前後方向の内周端が第２駆動用磁石１８Ｂの内側面１８ｄよりも前後方向の内側に配置されるように、４個の駆動用磁石１８の下端面に磁石連結部材２５の上面を当接させる。
【００４９】
その後、磁石連結部材２５の外周側かつＺ１方向側から駆動用磁石１８の下端面と磁石連結部材２５の上面との接触部分に向かってレーザ光を照射する。また、磁石連結部材２５の内周側かつＺ１方向側から駆動用磁石１８の下端面と磁石連結部材２５の上面との接触部分に向かってレーザ光を照射する。このようにレーザ光を照射すると、駆動用磁石１８の下端側の一部と磁石連結部材２５の上面側の一部とが溶融する。また、レーザ光の照射が停止されると、溶融部分が固化して、４個の駆動用磁石１８の下端面に磁石連結部材２５が溶接固定される。なお、上述のように、駆動用磁石１８の表面および磁石連結部材２５の表面には、ニッケルメッキ層が形成されているため、４個の駆動用磁石１８の下端面に磁石連結部材２５が溶接固定される際には、ニッケルメッキ層が溶融するとともに固化する。
【００５０】
（本形態の主な効果）
以上説明したように、本形態では、磁石連結部材２４に形成される複数の凹部２４ｃの、駆動用磁石１８の上端面と磁石連結部材２４の下面との接触部分に向かってレーザ光を照射して、４個の駆動用磁石１８に磁石連結部材２４を溶接固定している。そのため、本形態では、レーザ光の照射によって形成されるレーザ溶接跡を、凹部２４ｃが形成されていた部分に収めることが可能になる。したがって、本形態では、駆動用磁石１８の外側面１８ａ、１８ｂに対向配置される駆動用コイル１７に向かってレーザ溶接跡が突出するのを防止することが可能になる。特に本形態では、磁石連結部材２４の左右方向の外周端が第１駆動用磁石１８Ａの外側面１８ａよりも左右方向の内側に配置され、かつ、磁石連結部材２４の前後方向の外周端が第２駆動用磁石１８Ｂの外側面１８ｂよりも前後方向の内側に配置されているため、外側面１８ａ、１８ｂに対向配置される駆動用コイル１７に向かってレーザ溶接跡が突出するのを効果的に防止することが可能になるとともに、磁石連結部材２４の外周端が駆動用コイル１７に向かって突出するのを防止することができる。
【００５１】
したがって、本形態では、駆動用磁石１８と駆動用コイル１７との隙間を狭くした場合であっても、カメラモジュール２側と固定体３側との干渉を防止することが可能になる。すなわち、本形態では、駆動用磁石１８と駆動用コイル１７との隙間を狭くすることで、光学装置１を小型化した場合であっても、カメラモジュール２側と固定体３側との干渉を防止して、カメラモジュール２を適切に揺動させることが可能になる。また、本形態では、凹部２４ｃを目印にしてレーザ光を照射すれば良いため、レーザ光の照射が容易になる。
【００５２】
また、本形態では、駆動用磁石１８に磁石連結部材２４が溶接固定されているため、駆動用磁石１８と磁石連結部材２４との固定強度を高めることが可能になる。特に本形態では、凹部２４ｃの、駆動用磁石１８の上端面と磁石連結部材２４の下面との接触部分に向かってレーザ光を照射しているため、磁石連結部材２４に凹部２４ｃが形成されていない場合と比較して、レーザ光が照射される駆動用磁石１８の上端面と磁石連結部材２４の下面との接触部分の長さを長くすることが可能になる。したがって、本形態では、駆動用磁石１８と磁石連結部材２４との固定強度を効果的に高めることが可能になる。また、本形態では、駆動用磁石１８の上端面に磁石連結部材２４が溶接固定される際に、ニッケルメッキ層が溶融するとともに固化するため、ニッケルメッキ層を利用して、駆動用磁石１８と磁石連結部材２４との固定強度を効果的に高めることが可能になる。
【００５３】
同様に、本形態では、駆動用磁石１８に磁石連結部材２５が溶接固定されているため、駆動用磁石１８と磁石連結部材２５との固定強度を高めることが可能になる。また、本形態では、駆動用磁石１８の上端面に磁石連結部材２５が溶接固定される際に、ニッケルメッキ層が溶融するとともに固化するため、ニッケルメッキ層を利用して、駆動用磁石１８と磁石連結部材２５との固定強度を効果的に高めることが可能になる。
【００５４】
本形態では、上下方向から見たときに、第１駆動用磁石１８Ａに形成されるＲ加工面１８ｅと磁石連結部材２４の左右方向の外周端とが重なっている。また、本形態では、上下方向から見たときに、第２駆動用磁石１８Ｂの上端面の外側面１８ｂ側のＲ加工面と磁石連結部材２４の前後方向の外周端とが重なっている。そのため、本形態では、第２駆動用磁石１８Ｂの上端面の外側面１８ｂ側のＲ加工面およびＲ加工面１８ｅと、磁石連結部材２４の外周側部分との間に形成される隙間にレーザ溶接跡を収めることが可能になる。したがって、本形態では、駆動用コイル１７に向かってレーザ溶接跡が突出するのを効果的に防止することが可能になる。また、本形態では、第２駆動用磁石１８Ｂの上端面の外側面１８ｂ側のＲ加工面およびＲ加工面１８ｅと、磁石連結部材２４の外周側部分との間の隙間をレーザ溶接跡で埋めることが可能になるため、駆動用磁石１８と磁石連結部材２４との固定強度を効果的に高めることが可能になる。
【００５５】
本形態では、上側に配置される磁石連結部材２４の左右方向の外周端が第１駆動用磁石１８Ａの外側面１８ａよりも左右方向の内側に配置され、かつ、磁石連結部材２４の前後方向の外周端が第２駆動用磁石１８Ｂの外側面１８ｂよりも前後方向の内側に配置されている。そのため、本形態では、下側に配置される支点部１５を支点とするカメラモジュール２の揺動範囲を広げることが可能になる。また、本形態では、下側に配置される磁石連結部材２５の左右方向の外周端が第１駆動用磁石１８Ａの外側面１８ａよりも左右方向の外側に配置され、かつ、磁石連結部材２５の前後方向の外周端が第２駆動用磁石１８Ｂの外側面１８ｂよりも前後方向の外側に配置されているため、磁石連結部材２５を用いて、カメラモジュール２の揺動範囲を規制することが可能になる。
【００５６】
（他の実施の形態）
上述した形態は、本発明の好適な形態の一例ではあるが、これに限定されるものではなく本発明の要旨を変更しない範囲において種々変形実施が可能である。
【００５７】
上述した形態では、駆動用磁石１８に溶接固定される前の磁石連結部材２４に、磁石連結部材２４の外周端から内周側に向かって窪む複数の凹部２４ｃが形成されている。この他にもたとえば、複数の凹部２４ｃに代えて、駆動用磁石１８に溶接固定される前の磁石連結部材２４に、図７に示すように、磁石連結部材２４の上面から下側へ向かって（すなわち、駆動用磁石１８に向かって）窪む複数の凹部２４ｆが形成されても良い。この凹部２４ｆは、磁石連結部材２４の外周端に繋がっており、磁石連結部材２４の外周端から内周側に向かって所定の範囲に形成されている。また、凹部２４ｆは、たとえば、上下方向から見たときの形状が略四角形状となるように形成されている。また、凹部２４ｆは、たとえば、ハーフエッチングによって形成されている。この場合、駆動用磁石１８の上端面に磁石連結部材２４を固定する際には、上側から凹部２４ｆに向かってレーザ光を照射する。
【００５８】
この場合であっても、レーザ光の照射によって形成されるレーザ溶接跡を、凹部２４ｆが形成されていた部分に収めることが可能になるため、上述した形態と同様に、駆動用磁石１８の外側面１８ａ、１８ｂに対向配置される駆動用コイル１７に向かってレーザ溶接跡が突出するのを防止することが可能になる。また、この場合には、磁石連結部材２４の凹部２４ｆが形成される部分の厚みが薄くなるため、上側から照射されるレーザ光の強度を下げても、磁石連結部材２４を溶かして駆動用磁石１８と磁石連結部材２４とを溶接固定することが可能になる。したがって、この場合には、駆動用磁石１８に対するレーザ光の影響を低減することが可能になる。
【００５９】
なお、凹部２４ｆは、磁石連結部材２４の外周端に繋がっていなくても良い。また、凹部２４ｆは、磁石連結部材２４の内周端に繋がっていても良い。すなわち、凹部２４ｆは、磁石連結部材２４の内周端から外周側に向かって所定の範囲に形成されても良い。また、磁石連結部材２４の外周端および内周端に繋がっていない凹部２４ｆが、磁石連結部材２４の外周端と内周端との間の中間位置に形成されても良い。
【００６０】
上述した形態では、磁石連結部材２５は、磁石連結部材２５の左右方向の外周端が第１駆動用磁石１８Ａの外側面１８ａよりも左右方向の外側に配置され、かつ、磁石連結部材２５の前後方向の外周端が第２駆動用磁石１８Ｂの外側面１８ｂよりも前後方向の外側に配置されるように、４個の駆動用磁石１８の下端面に固定されている。この他にもたとえば、磁石連結部材２５は、磁石連結部材２５の左右方向の外周端が第１駆動用磁石１８Ａの外側面１８ａよりも左右方向の内側に配置され、かつ、磁石連結部材２５の前後方向の外周端が第２駆動用磁石１８Ｂの外側面１８ｂよりも前後方向の内側に配置されるように、４個の駆動用磁石１８の下端面に固定されても良い。この場合には、凹部２４ｃに相当する凹部が磁石連結部材２５に形成されても良い。
【００６１】
上述した形態では、駆動用磁石１８に磁石連結部材２４を固定する際に、駆動用磁石１８の上端側の一部と磁石連結部材２４の下面側の一部とを溶融、固化させている。この他にもたとえば、駆動用磁石１８に磁石連結部材２４を固定する際に、駆動用磁石１８の表面および磁石連結部材２４の表面のニッケルメッキ層のみを溶融、固化させても良い。同様に、上述した形態では、駆動用磁石１８に磁石連結部材２５を固定する際に、駆動用磁石１８の下端側の一部と磁石連結部材２５の上面側の一部とを溶融、固化させているが、駆動用磁石１８に磁石連結部材２５を固定する際に、駆動用磁石１８の表面および磁石連結部材２５の表面のニッケルメッキ層のみを溶融、固化させても良い。
【００６２】
上述した形態では、磁石連結部材２４および磁石連結部材２５が駆動用磁石１８に固定されている。この他にもたとえば、磁石連結部材２４のみが駆動用磁石１８に固定されても良い。また、上述した形態では、光学装置１は、オートフォーカス機能を備えているが、光学装置１は、オートフォーカス機能を備えていなくても良い。すなわち、カメラモジュール２は、レンズ駆動機構を備えていなくても良い。
【００６３】
上述した形態では、光学装置１は、光軸方向から見たときの形状が略正方形状となるように形成されている。この他にもたとえば、光学装置１は、光軸方向から見たときの形状が略長方形状となるように形成されても良いし、光軸方向から見たときの形状が略六角形状または略八角形状等の多角形状となるように形成されても良い。また、光学装置１は、光軸方向から見たときの形状が略円形状となるように形成されても良い。光軸方向から見たときの形状が多角形状となるように光学装置１が形成される場合には、磁石連結部材２４、２５は、光学装置１の外形に応じた多角枠状に形成される。また、光軸方向から見たときの形状が略円形状となるように光学装置１が形成される場合には、磁石連結部材２４、２５は、略円形の枠状に形成され、駆動用磁石１８は、略円弧状の曲板状に形成される。
【００６４】
上述した形態では、光学装置１は、オートフォーカス機能と振れ補正機能とを備えるカメラであるが、本発明が適用される光学装置は、撮影用のレンズを光軸方向へ移動させて光学像の焦点位置を合わせるための構成を備えるレンズ駆動装置であっても良い。このレンズ駆動装置は、携帯電話、ドライブレコーダあるいは監視カメラシステム等で使用される比較的小型のカメラに搭載されて使用される。また、このレンズ駆動装置では、たとえば、可動体を移動可能に保持する固定体に、駆動用磁石１８および磁石連結部材２４、２５に相当する駆動用磁石および磁石連結部材が固定され、可動体に駆動用コイルが固定される。
【符号の説明】
【００６５】
１  光学装置
２  カメラモジュール（可動体）
３  固定体
１５  支点部
１７  駆動用コイル
１８  駆動用磁石
１８Ａ  第１駆動用磁石
１８Ｂ  第２駆動用磁石
１８ａ、１８ｂ  外側面
１８ｅ  Ｒ加工面
２４  磁石連結部材（金属部材）
２４ａ  第１辺部
２４ｂ  第２辺部
２４ｃ、２４ｆ  凹部
２５  磁石連結部材（第２金属部材）
Ｌ  光軸
Ｘ  第１方向
Ｙ  第２方向
Ｚ  光軸方向
Ｚ１  被写体側
Ｚ２  反被写体側
【図１】
2015014699.tif 000003
【図２】
2015014699.tif 000004
【図３】
2015014699.tif 000005
【図４】
2015014699.tif 000006
【図５】
2015014699.tif 000007
【図６】
2015014699.tif 000008
【図７】
2015014699.tif 000009